(57)【特許請求の範囲】
【請求項１】
曲げ角度がついたジョイントを介在しながらパイプをねじで連結して形成したループ状の組物において、前記ループ内の少なくとも一つの箇所に、ねじの回転方向による矛盾を解消させる継手を介在させたパイプの組物であって、
前記継手が一対のねじ部材を有すると共に、該ねじ部材の各々にねじの雄雌構造が設けられており、
前記一対のねじ部材のうち、第１のねじ部材が雌の右巻きねじ部と雄の左巻きねじ部とを有し、第２のねじ部材が雌の左巻きねじ部と雄の右巻きねじ部とを有し、
前記パイプ又は前記ジョイントから延びる雄の右巻きねじ部を前記第１のねじ部材の雌の右巻きねじ部に螺合し、該第１のねじ部材の雄の左巻きねじ部を前記第２のねじ部材の雌の左巻きねじ部に螺合し、該第２のねじ部材の雄の右巻きねじ部を前記パイプ又は前記ジョイントに設けられた雌の右巻きねじ部に螺合し、
前記ループ内に前記第１のねじ部材と前記第２のねじ部材とを介在させることにより、該ループの系内におけるねじ巻き方向の不一致に係る矛盾を解消する
ことを特徴とする組物。
【請求項２】
前記パイプが雄の右巻ねじを有し、前記ジョイントが雌の右巻ねじを有する請求項１に記載の組物。
【請求項３】
前記ループが９０°に曲がるジョイントを４つ含んで矩形に構成された
請求項１又は２に記載の組物。
【請求項４】
前記パイプおよびジョイントが直線状のガスパイプおよび曲げ角度のついたガスパイプ用のジョイントである
請求項１から３の何れか一項に記載の組物。
【請求項５】
角度のついたジョイントを介して複数のパイプをその両端のねじで連結していき、閉じたループ状の形態にするに当たり、ねじの雄雌構造が設けられた一対のねじ部材を有する継手を介在させる、パイプの組物の製造方法であって、
前記一対のねじ部材のうち、第１のねじ部材が雌の右巻きねじ部と雄の左巻きねじ部とを有し、第２のねじ部材が雌の左巻きねじ部と雄の右巻きねじ部とを有し、
前記パイプ又は前記ジョイントから延びる雄の右巻きねじ部を前記第１のねじ部材の雌の右巻きねじ部に螺合し、該第１のねじ部材の雄の左巻きねじ部を前記第２のねじ部材の雌の左巻きねじ部に螺合し、該第２のねじ部材の雄の右巻きねじ部を前記パイプ又は前記ジョイントに設けられた雌の右巻きねじ部に螺合し、
前記ループ内に前記第１のねじ部材と前記第２のねじ部材とを介在させることにより、該ループの系内におけるねじ巻き方向の不一致に係る矛盾を解消する
ことを特徴とするパイプの組物の製造方法。
【発明の詳細な説明】
【技術分野】
【０００１】
本開示は、パイプの組物とその製造方法に関する。
【背景技術】
【０００２】
ＤＩＹ（Do It Yourself）の人気の高まりを受け、家具や調度の作成、部屋の模様替えなどを、ユーザー自らが行う例が増加している。なかでも然程の工具を必要としない、ネジやクリップで固定しながら組み立てていく家具等が好まれる。個々のユーザーのニーズに応じた大きさや形状にして組み立てることができ、自分専用の家具等を作製することができる。
【０００３】
組み立てる材料の材質もユーザーの好みが反映される。例えば、中古の看板や古板などをあえて選定することもある。古びた感じを与えあえてアンティーク調の調度とすることができる。打ちっぱなしのコンクリートの壁に、あえて無機質な金属を主体としたラックを並べるなど、居住空間のコーディネーションが自由にできるところが、ＤＩＹの魅力である。
【発明の概要】
【発明が解決しようとする課題】
【０００４】
かかるＤＩＹにおけるニーズに鑑み、本発明者らはガスパイプがその用途に用いられるのではないかと考えた。鈍く銀色に光る質感は冷たさの中にもどこか看るものに安心感を与える。かえって、傷や窪みのある使用済みのパイプの方が、反射の仕方が一様ではなく面白みがある。銀色の濃淡が模様のようになって特有の美観を呈する。形態については、しばしば、直線のパイプに対して、９０°の曲げジョイントが組み合わされる。直線パイプの両端は雄ねじになっており、これをＬ字ジョイントの雌ねじにねじ込むだけで所望の形態にすることができる。
【０００５】
これに対して、本発明者らは、ガスパイプを用いた組物の製造において、１つの問題点に直面した。それは以下のようなものである。
【０００６】
図５のように４本のパイプと４個のＬ字ジョイントを用いて、長方形の組物を得るとする。図中ピアノの鍵盤のように示した部分はねじであることを意味する。太線のある方向にねじって挿入することを意味する。例えばねじ１ａ２はパイプ1ａから突出し、右側に太線があるから、右巻ねじであることが分かる。パイプ１ａの右巻ねじ（１ａ２）をＬ字ジョイント２ｄに捩じ込む。繰り返すが、その際の捩じり方向は右方向iとなる。次には、パイプ１ａのねじ１ａ１をＬ字ジョイント２ａに捩じ込む（右方向ｉｉ）。さらに、パイプ１ｂのねじ１ｂ１を右側iiiに捩じって挿入する。ついで、Ｌ字ジョイント２ｂを右に（ｉｖ）に捩じってパイプ１ｂのねじ１ｂ２に捩じ込む。ついで、パイプ１ｃのねじ１ｃ１を右側（方向ｖ）に捩じってパイプを接続固定する。さらにＬ字ジョイント２ｃを右側に回して（方向ｖｉ）パイプ１ｃのねじ１ｃ２に捩じ込む。
【０００７】
さらに、パイプ１ｄを右側（方向ｖｉｉ）に捻じって、上記のＬ字ジョイント２ｃに捩じ込む。最後にパイプ１ｄを右側（方向ｖｉｉｉ）に捻じって、最初のＬ字ジョイント２ｄに挿入することとなるが、ここで問題が生ずる。パイプ１ｄをジョイント２ｃに捩じ込む方向（ｖｉｉ）と、ジョイント２ｄに捩じ込む方向（ｖｉｉｉ）が逆になってしまう。このようなねじの回転方向が矛盾した条件では、ループ状の組物を歪のない安定した形態にすることができない。もとより、パイプ１ｄを取り付ける前に、ジョイント２ｄからパイプ１ａ、ジョイント２ａ、パイプ１ｂ、ジョイント２ｂ、パイプ１ｃ、ジョイント２ｃと繋がれてきており、すでに寸法的に固定されてきている。最後につなぐジョイント２ｃとジョイント２ｄとの間隔も、通常、パイプ１ｄの雄ねじの先端間の距離より狭くなっている。そのため、ジョイント２ｃにパイプ１ｄを装着すると、他方のパイプ２ｄについては、その雌ねじのねじ山にそってパイプ１ｄを回転させることすら難しい状態となる。
【０００８】
そこで、本発明は上記の問題を解決することを目的とし、具体的には、ジョイントを介在しながらパイプをねじで連結した組物において、これをループ状にしてもねじの回転方向による矛盾をきたさず、また過度の歪がかからず安定な形態とされた組物およびその製造方法の提供を目的とする。
【課題を解決するための手段】
【０００９】
本開示のパイプの組物は、曲げ角度がついたジョイントを介在しながらパイプをネジで連結して形成したループ状の組物において、前記ループ内の少なくとも一つの箇所に、ねじの回転方向による矛盾を解消させる継手を介在させたことを特徴とする。
【００１０】
また、前記継手が一対のねじ部材であって、その各々がねじの雄雌構造を有することが好ましい。
【００１１】
また、前記一対の雄雌構造を有するねじ部材が、１つめの雄雌ねじ部材が雌の右巻きねじ部と雄の左巻きねじ部とを有し、２つめの雄雌ねじ部材が雌の左巻きねじ部と雄の右巻きねじ部とを有することが好ましい。
【００１２】
また、前記パイプと前記ジョイントとのねじがいずれも右巻きのねじであってもよい。
【００１３】
また、前記継手がループの中で１か所以上６か所以下に設けられていることが好ましい。
【００１４】
また、前記ジョイントの曲げ角度が６０°〜１２０°であることが好ましい。
【００１５】
また、前記ループが９０°に曲がるジョイントを４つ含んで矩形に構成されたことが好ましい。
【００１６】
前記パイプの内径が１００μｍ〜５０ｍｍの範囲にあることが好ましい。
【００１７】
また、前記パイプおよびジョイントが直線状のガスパイプおよび曲げ角度のついたガスパイプ用のジョイントであることが好ましい。
【００１８】
本開示の組物の製造方法は、角度のついたジョイントを介して複数のパイプをその両端のねじで連結していき、閉じたループ状の形態にするに当たり、雄雌ねじの構造を有する一対の継手を介在させることを特徴とする。
【００１９】
また、前記一対の雄雌構造を有するねじ部材（継手）は、１つめの雄雌ねじ部材が雌の右巻きねじ部と雄の左巻きねじ部とを有し、２つめの雄雌ねじ部材が雌の左巻きねじ部と雄の右巻きねじ部とを有することが好ましい。
【発明の効果】
【００２０】
ジョイントを介在しながらパイプをねじで連結した組物において、これをループ状にしてもねじの回転方向による矛盾をきたさず、また過度の歪がかからず安定な形態とされた組物およびその製造方法を提供することができる。
【図面の簡単な説明】
【００２１】
【図１】本発明の好ましい実施形態に係るガスパイプの組物を模式的に示す平面図である。
【図２】図１に示した組物の継手を一部切欠して示した分解平面図（１）である。
【図３】図１に示した組物の別の継手を一部切欠して示した分解平面図（２）である。
【図４】本発明の別の好ましい実施形態に係るガスパイプの組物を模式的に示す平面図である。
【図５】ガスパイプを単純に矩形ループになるように連結を試みたときの想定平面図である。
【発明を実施するための形態】
【００２２】
以下に、本発明について好ましい実施形態を中心に添付の図面を参照しながら詳しく説明する。ただし、本発明がこの説明により限定して解釈されるものではない。
【００２３】
図１は、本発明の好ましい実施形態に係るガスパイプの組物を模式的に示す平面図である。本実施形態の組物は、ジョイント２ａ、２ｂ、２ｃ、２ｄを介在しながらパイプ１ａ、１ｂ、１ｃ、１ｄを連結して形成したループ状の組物である。このループ内の少なくとも一つの箇所（本実施形態では２か所）に、ねじの回転方向による矛盾を解消させる継手３，４が介在配置されている。本実施形態において前記の継手は、一対のねじ部材であって、その各々がねじの雄雌構造を有している。
【００２４】
ここで図２、３を参照する。図２および図３は、図１に示した組物の継手４を一部切欠して示した分解平面図である。図３は図２に続く構成である。継手は一対の雄雌構造を有するねじ部材を２つ有し、ねじ部材４ａ・４ｂの対がこれに当たる。さらに具体的に言うと、本実施形態においては、１つめの雄雌ねじ部材４ａが雌の右巻きねじ部４ａ１と雄の左巻きねじ部４ａ２とを有する。他方、２つめの雄雌ねじ部材４ｂが雌の左巻きねじ部４ｂ１と雄の右巻きねじ部４ｂ２とを有する。つまり、一対の雄雌ねじ部材は互いに逆のねじ巻き方向を有している。これにより、ループ内にパイプやジョイントとは逆のねじ巻き方向の接合部を付与することができる。これは、継手３においても同様であり、雄雌ねじ部材３ａの雄部３ａ２は左巻きとれている（図１参照）。雄雌ねじ部材３ｂの方では３ｂ１（図示せず）が雌の左巻き部とされ、上記３ａ２の左巻き雄部との組合せで、系内に左巻き部分を付与している。
【００２５】
図１に戻って、本実施形態に係るパイプの組物の特徴と利点についてみておく。図５の組合せではパイプ１ａ〜１ｄをジョイント２ａ〜２ｄにより連結するにあたり、最後のピース、上記の例示ではパイプ１ｄがねじ巻き方向において矛盾してしまい、連結を完成することができない。また寸法も整合しなくなり、パイプ１ｄのねじをジョイント内のねじ山と係合させることも困難となる。
【００２６】
これに対し、本実施形態においては、例えば図１のパイプ１ｄをジョイント２ｄと連結するために、パイプ１ｄを右側（ｘｉ）に回したとする。このとき継手４はその中に左巻きの構造を採用したため、右側（ｘｉ）に回しても、相対的に回転が反転して左巻き（xii）となり、締め付け方向の動作が得られる。ここで、締め付け力が強くなりすぎ、左巻き部（４ａ２、４ｂ１）に過剰な歪が加わる場合には、雄雌ねじ部材４ｂを左に回して緩めることができる。
【００２７】
すなわち、本実施形態により、ループ状の組物とする際に系内に生じる矛盾（ねじ巻き方向の不一致）を解消できる。また、系内に生じる歪についても、雄雌ねじ部材４ａと４ｂとを巧みに回転させて好適に緩和することができる。結果として、系内に歪やゆがみのない安定したループ状（本実施形態においては長方形）のループ構造が得られる。
【００２８】
継手の数に特に限定はないが、系内に１つあればよく、なかでもループの中で２か所以上６か所以下に設けられることが好ましい。より好ましくは系内に２個以上４個以下である。
【００２９】
本実施形態においては、９０°に曲がるジョイントを４つ含んでおり前記ループが矩形（正方形または長方形）に構成されている。矩形のもの以外にも、ジョイントをいろいろな方向に延ばして、例えば側面視においてＬ字型のループとか、コの字型のループにしてもよい。
【００３０】
本実施形態において用いられたパイプおよびジョイントは、ガスパイプおよびガスパイプ用のジョイントである。中古でも新品でも構わないが、独特の美観を呈する観点からは、中古であることが好ましい。
【００３１】
本実施形態の組物の製造方法は特に限定されないが、例えば、角度のついたジョイントを介して複数のパイプをその両端のねじで連結していき、閉じたループ状の形態にするに当たり、雄雌構造を有する一対の継手を介在させる方法が挙げられる。ここで、前記一対の雄雌構造を有するねじ部材は、１つめの雄雌ねじ部材が雌の右巻きねじ部と雄の左巻きねじ部とを有し、２つめの雄雌ねじ部材が雌の左巻きねじ部と雄の右巻きねじ部とを有することが好ましいことは、すでに述べたとおりである。
【００３２】
曲げジョイントは所定の角度で曲げられていれば特に限定されないが、例えば、６０°から１２０°にすることで好適なループが得られる。例えば、６０°の曲げジョイントを３つ利用して正三角形の組物としてもよい。また、前記ループが９０°に曲がるジョイントを４つ含んで矩形に構成されたことが好ましい。あるいは、１２０°の組物を６つ利用して６角形の組物としてもよい。
【００３３】
図４は、本発明の別の好ましい実施形態に係るガスパイプの組物を模式的に示す平面図である。本実施形態においては、図１に示した組物が継手を２つ有していたのに対して、４つの継手３，４，５，６が設けられている。継手３，４の構造は図１で述べたことと同様である。継手５，６も基本的には、継手３，４と同様の構造を有している。念のため確認しておくと、継手５は雄雌ねじ部材５ａ、５ｂを有する。部材5ａから延びる雄ねじ（左巻き）５ａ２は、部材５ｂの雌ねじ（左巻き）（図示せず）との関係で左巻きのねじ構造を付与している。継手６は雄雌ねじ部材６ａ、６ｂを有し、部材６aから延びる雄ねじ（左巻き）６ａ２と部材６ｂの雌ねじ（左巻き）（図示せず）により左巻きのねじ構造を作出している。このようにループ内の継手の数を増やすことで、より効果的に歪を低減させることができ、安定した構造の組物が得られる。また、２つの雄雌ねじ部材を適宜に回転させて、多少の寸法を調節することができる。
【００３４】
本発明においては、前記パイプおよびジョイントがガスパイプおよびガスパイプ用のジョイントであることが好ましい。ただし、本発明においては、ジョイントとパイプの素材や形態が限定されるものではない。先に述べた継手を用いる効果が得られれば特に限定されず、大きい方からいうと、直径が数ｍある鋼管やプラスチック管などが挙げられる。小さい方ではストローや爪楊枝ほどの径の微細なチューブ状の管も広くパイプの概念に含まれる。中でも本発明のパイプは、その内径が１００μｍ〜５０ｍｍの範囲にあることが好ましく、１ｍｍ〜３５ｍｍであることが好ましく、５ｍｍ〜２５ｍｍ程度であることがより好ましい。
【００３５】
パイプの形態としては直線状のものを例に説明したが、これも限定されるものではない。たとえば任意のＲで曲線上に曲がったパイプや、曲げが連続した波状のパイプであってもよい。ジョイントについても曲げ角度のない直線上のジョイントの使用を妨げるものではなく、全体においてループ状になるのであれば直線状のジョイントが介在していてもよい。
【符号の説明】
【００３６】
１ａ、１ｂ、１ｃ、１ｄ  雄ねじ付きパイプ
２ａ、２ｂ、２ｃ、２ｄ  雌ねじ付きＬ字ジョイント
１ａ１、１ａ２、１ｂ１、１ｂ２、１ｃ１、１ｃ２、１ｄ１、１ｄ２  雄ねじ
３  継手
３ａ、３ｂ  雄雌ねじ部材
３ａ２  雄雌ねじ部材の雄ねじ（左巻き）
３ｂ２  雄雌ねじ部材の雄ねじ（右巻き）
４  継手
４ａ、４ｂ  雄雌ねじ部材
４ａ１  雄雌ねじ部材の雌ねじ（右巻き）
４ａ２  雄雌ねじ部材の雄ねじ（左巻き）
４ｂ１  雄雌ねじ部材の雌ねじ（左巻き）
４ｂ２  雄雌ねじ部材の雄ねじ（右巻き）
５  継手
５ａ、５ｂ  雄雌ねじ部材
５ａ２  雄雌ねじ部材の雄ねじ（左巻き）
５ｂ２  雄雌ねじ部材の雄ねじ（右巻き）
６  継手
６ａ、６ｂ  雄雌ねじ部材
６ａ２  雄雌ねじ部材の雄ねじ（左巻き）
６ｂ２  雄雌ねじ部材の雄ねじ（右巻き）
【要約】
【課題】ジョイントを介在しながらパイプをねじで連結した組物において、これをループ状にしてもねじの回転方向による矛盾をきたさず、また過度の歪がかからず安定な形態とされた組物およびその製造方法の提供を目的とする。
【解決手段】曲げ角度がついたジョイントを介在しながらパイプをねじで連結して形成したループ状の組物において、前記ループ内の少なくとも一つの箇所に、ねじの回転方向による矛盾を解消させる継手を介在させたパイプの組物。
【選択図】図１【図１】
0006830277.tif 000002
【図２】
0006830277.tif 000003
【図３】
0006830277.tif 000004
【図４】
0006830277.tif 000005
【図５】
0006830277.tif 000006